(57)【特許請求の範囲】
【請求項１】
絶縁性を有するボディと、
ボディ内にその幅方向に間隔を空けて少なくとも２列で配設されるコンタクト群とを備えており、
前記コンタクト群は、
複数の第１のコンタクトと、
この第１のコンタクトと別の列に位置しており且つ当該第１のコンタクトと隣り合う複数の第２のコンタクトとを有し、
前記コンタクト群は、信号用コンタクトである一対の前記第１のコンタクトと、グランド用コンタクトである前記第２のコンタクトとを一組としており、複数の前記組がボディの幅方向に上下位置関係を交互に逆にして配列されており、
前記第２のコンタクトの幅方向の両端部が、一対の前記第１のコンタクトの幅方向の内側の端部に平面位置的に重なるように配置されており、
前記コンタクト群のボディの幅方向の最端に位置する第２のコンタクトの外側の端部が前記最端に位置する第１のコンタクトに平面位置的に重なる幅面積が、他の第２のコンタクトの外側の端部が他の第１のコンタクトの内側の端部に平面位置的に重なる幅面積よりも大きくなっていることを特徴とする電気コネクタ。
【請求項２】
絶縁性を有するボディと、
ボディ内にその幅方向に間隔を空けて少なくとも２列で配設されるコンタクト群とを備えており、
前記コンタクト群は、
複数の第１のコンタクトと、
この第１のコンタクトと別の列に位置しており且つ当該第１のコンタクトと隣り合う複数の第２のコンタクトとを有し、
前記コンタクト群は、信号用コンタクトである一対の前記第１のコンタクトと、グランド用コンタクトである前記第２のコンタクトとを一組としており、複数の前記組がボディの幅方向に上下位置関係を交互に逆にして配列されており、
前記第２のコンタクトの幅方向の両端部が、一対の前記第１のコンタクトの幅方向の内側の端部に平面位置的に重なるように配置されており、
前記第１、第２のコンタクトは、
幅方向の端部同士が互いに平面位置的に重なるようにボディに保持される第１、第２の本体部と、
この第１、第２の本体部の先端部に連続しており且つボディの幅方向の一端部から露出する第１、第２の接点部と、
前記第１、第２の本体部の後端部に連続しており且つボディの幅方向の他端部から露出する第１、第２の導出部と、
この第１、第２の導出部の後端部に連続して設けられる第１、第２のリード部とを有し、
前記コンタクト群の前記幅方向の最端に位置する第２のコンタクトの第２の本体部の外側の端部が前記最端に位置する第１のコンタクトの第１の本体部に平面位置的に重なる幅面積が、他の第２のコンタクトの外側の端部が他の第１のコンタクトの内側の端部に平面位置的に重なる幅面積よりも大きくなっていることを特徴とする電気コネクタ。
【発明の詳細な説明】
【技術分野】
【０００１】
本発明は、主として高速デジタル信号伝送に使用され、良好なインピーダンスマッチングを行うのに適する電気コネクタに関する。
【背景技術】
【０００２】
この種の電気コネクタとしては、絶縁性を有するボディにコンタクト群が前記ボディの幅方向に２列で千鳥状に配列されているものがある。前記コンタクト群は、高速デジタル信号伝送用の差動ペアとなる一対の信号用コンタクト及びグランド用コンタクトを複数有している。
【０００３】
グランド用コンタクトの一部は、一対の信号用コンタクトの一部よりも幅広にされ、一対の信号用コンタクトの端部に位置的に重なるように配置される。これにより、差動ペア内及び差動ペア間のコンタクトのインピーダンス整合を図っている（特許文献１参照）。
【０００４】
【特許文献１】特表２００３−５０５８２６号公報
【発明の開示】
【発明が解決しようとする課題】
【０００５】
ところが、コンタクト群の最端に位置する差動ペア内の一方の信号用コンタクトは、その片側にグランド用コンタクトが配置されないため、前記差動ペア内の他方の信号用コンタクトと比べてグランド用コンタクトとの間の静電容量が低くなり、インピーダンスが高くなる。よって、インピーダンス整合を図ることができず、コネクタの伝送特性が劣化していた。
【０００６】
もっとも、前記一方の信号用コンタクトの隣にダミーのグランド用コンタクトを配設したり、前記電気コネクタのシールドカバーの一部を前記一方の信号用コンタクトに近づけたりすれば、インピーダンス整合を改善することが可能であるが、ダミーのグランド用コンタクトを追加したりシールドカバーの形状を変えたりすると、部品点数や組み立て工数が増加し、コスト高になる。
【０００７】
本発明は、上記事情に鑑みて創案されたものであって、その目的とするところは、ダミーのグランド用コンタクトを追加したりシールドカバーの形状を変えたりすることなく、良好なインピーダンス整合が図ることができる電気コネクタを提供することにある。
【課題を解決するための手段】
【０００８】
上記課題を解決するために、本発明の電気コネクタは、絶縁性を有するボディと、ボディ内にその幅方向に間隔を空けて少なくとも２列で配設されるコンタクト群とを備えており、前記コンタクト群は、複数の第１のコンタクトと、この第１のコンタクトと別の列に位置しており且つ当該第１のコンタクトと隣り合う複数の第２のコンタクトとを有し、前記コンタクト群は、信号用コンタクトである一対の前記第１のコンタクトと、グランド用コンタクトである前記第２のコンタクトとを一組としており、複数の前記組がボディの幅方向に上下位置関係を交互に逆にして配列されており、前記第２のコンタクトの幅方向の両端部が、一対の前記第１のコンタクトの幅方向の内側の端部に平面位置的に重なるように配置されており、前記コンタクト群のボディの幅方向の最端に位置する第２のコンタクトの外側の端部が前記最端に位置する第１のコンタクトに平面位置的に重なる幅面積が、他の第２のコンタクトの外側の端部が他の第１のコンタクトの内側の端部に平面位置的に重なる幅面積よりも大きくなっている。
【０００９】
このような電気コネクタによる場合、インピーダンス調整の対象となる第１、第２のコンタクトの一方の幅面積が、他の第１、第２のコンタクト間のインピーダンスとの差に応じて調整されているので、ダミーのグランド用コンタクトを追加したりシールドカバーの形状を変えたりすることなく、前記第１、第２のコンタクトのインピーダンス整合を図ることができる。よって、コスト高となることなく、コネクタの伝送特性の向上を図ることができる。しかも、ダミーのグランド用コンタクトを追加したりシールドカバーの形状を変えたりすることなく、前記最端に位置する一対の第１のコンタクトのインピーダンス整合を図ることができる。また、一対の第１のコンタクトが同じ組の第２のコンタクトに対向する一方、前記一対の第１のコンタクトの隣に別の組の第２のコンタクトが配置されるので、前記一対の第１のコンタクト間でのインピーダンス整合及びクロストークの低減を図る上でメリットがある。
【００１０】
本発明の別の電気コネクタは、絶縁性を有するボディと、ボディ内にその幅方向に間隔を空けて少なくとも２列で配設されるコンタクト群とを備えており、前記コンタクト群は、複数の第１のコンタクトと、この第１のコンタクトと別の列に位置しており且つ当該第１のコンタクトと隣り合う複数の第２のコンタクトとを有し、前記コンタクト群は、信号用コンタクトである一対の前記第１のコンタクトと、グランド用コンタクトである前記第２のコンタクトとを一組としており、複数の前記組がボディの幅方向に上下位置関係を交互に逆にして配列されており、前記第２のコンタクトの幅方向の両端部が、一対の前記第１のコンタクトの幅方向の内側の端部に平面位置的に重なるように配置されており、前記第１、第２のコンタクトは、幅方向の端部同士が互いに平面位置的に重なるようにボディに保持される第１、第２の本体部と、この第１、第２の本体部の先端部に連続しており且つボディの幅方向の一端部から露出する第１、第２の接点部と、前記第１、第２の本体部の後端部に連続しており且つボディの幅方向の他端部から露出する第１、第２の導出部と、この第１、第２の導出部の後端部に連続して設けられる第１、第２のリード部とを有し、前記コンタクト群の前記幅方向の最端に位置する第２のコンタクトの第２の本体部の外側の端部が前記最端に位置する第１のコンタクトの第１の本体部に平面位置的に重なる幅面積が、他の第２のコンタクトの外側の端部が他の第１のコンタクトの内側の端部に平面位置的に重なる幅面積よりも大きくなっている。
【発明を実施するための最良の形態】
【００１６】
以下、本発明の実施の形態に係る電気コネクタについて図面を参照しつつ説明する。図１は本発明の実施の形態に係る電気コネクタの概略的正面図、図２は同電気コネクタの概略的平面図、図３は同電気コネクタの概略的背面図であって、（ａ）がシールドカバー部の閉塞状態を示す図、（ｂ）がシールドカバー部の開放状態を示す図、図４は同電気コネクタのコンタクト群が取り付けられたボディの概略的平面図、図５は同電気コネクタのコンタクト群が取り付けられたボディの概略的断面図、図６は同電気コネクタのコンタクトの配置を示す図であって、（ａ）概略的平面図、（ｂ）が概略的底面図、図７は（ａ）が同電気コネクタの第１、第２のコンタクトの概略的斜視図、（ｂ）が同電気コネクタの最端に位置する第２のコンタクトの概略的斜視図である。
【００１７】
図１乃至図３に示す電気コネクタは、高速差動伝送対応の基板実装型レセプタクルであって、絶縁性を有するボディ１００と、ボディ１００内にその幅方向に間隔を空けて２列で千鳥状に配列される上段、下段コンタクト群２００ａ、２００ｂと、ボディ１００の外周を覆うシールドカバー３００とを備えている。以下、各部を詳しく説明する。
【００１８】
ボディ１００は、図１、図３、図４及び図５に示すように、ＰＢＴ（ポリブチレンテレフタレート）やＰＰＳ（ポリフェニレンサルファイド）等の汎用の合成樹脂を射出成形したものであって、プラグＡが嵌合可能になっている。
【００１９】
ボディ１００は、略直方体状の本体部１１０と、本体部１１０の正面側に形成され且つプラグＡの先端凹部に入り込む正面視略逆Ｕ字状の凸部１２０と、本体部１１０の下方側に前方に向けて張り出して形成される略板状のベース部１３０と、ベース部１３０の底面に下向きに形成され、前記基板の図示しない孔部に嵌まり込む円柱状のボス１４０とを有している。
【００２０】
ボディ１００の本体部１１０の中央部には、プラグＡのコンタクト（図示せず）に対応して端子挿入孔１１１ａ，１１１ｂが等ピッチ間隔で前記電気コネクタの幅方向に並べて且つ２段位相をずらせて間隔を開けて配設されている。端子挿入孔１１１ａと端子挿入孔１１１ｂとは、図１に示すように、幅方向の端部同士が位置的に重なるように配設されている。
【００２１】
端子挿入孔１１１ａ，１１１ｂは、上段・下段コンタクト群２００ａ，２００ｂの本体部２０１２ａ，２０２２ｂに対応した横長の角型貫通孔であり、上段・下段に１０個づつ形成されている。この２０個の端子挿入孔のうち、図１の下段の右端の端子挿入孔１１１ｂ’以外の端子挿入孔は同一のものである。前記右端の端子挿入孔１１１ｂ’は、他の端子挿入孔１１１ａ，１１１ｂよりも幅広であり且つ下段コンタクト群２００ｂの本体部２０１２ｂに対応した横長の角型貫通孔である。なお、前記右端の端子挿入孔１１１ｂ’について、前述のように、’を付して、他の端子挿入孔１１１ｂと区別する。
【００２２】
本体部１１０の背面部には、図３（ｂ）及び図５に示すように、切り欠き１１２が形成されている。切り欠き１１２の奥側面には、端子挿入孔１１１ａ，１１１ｂの下方位置に端子挿入溝１１３が下方向に直線状に各々形成されている。端子挿入溝１１３は、上段・下段コンタクト群２００ａ，２００ｂの導出部２０１３ａ，２０１３ｂに対応した横幅を有する長溝であって、幅方向に配列されている。
【００２３】
ボディ１００の凸部１２０の上面には、図１に示すように、本体部１１０の端子挿入孔１１１ａに連通した端子ガイド溝１２１ａが長さ方向に直線状に形成されている。凸部１２０の下面には、本体部１１０の端子挿入孔１１１ｂに連通した端子ガイド溝１２１ｂが長さ方向に直線状に形成されている。端子ガイド溝１２１ａ，１２１ｂは、上段・下段コンタクト群２００ａ，２００ｂの接点部２０１１ａ，２０１１ｂに対応した横幅を有する溝であって、端子挿入孔１１１ａ，１１１ｂと同様に幅方向に位相ずれして配列されている。
【００２４】
シールドカバー３００は、図１、図２、図３に示すように、プラグＡがボティ１００に嵌合された状態で当該プラグＡの外周シールド（図示せず）に接触可能な金属製シェルであって、カバー本体３１０と、カバー本体３１０の幅方向の両端部に下方に向けて設けられる一対の脚部３２０と、カバー本体３１０の背面側の開口を開閉可能に覆うバックカバー部３３０とを有している。
【００２５】
カバー本体３１０は、ボディ１００の本体部１１０に嵌合し、当該本体部１１０及び凸部１２０の上下左右の４面（即ち、本体部１１０及び凸部１２０の外周）を覆う略角筒体である。
【００２６】
各脚部３２０は、前記基板の図示しない取り付け孔に挿入され、当該基板のグランド用のパターンに接続される。
【００２７】
バックカバー部３３０は、上端部がカバー本体３１０の背面側の開口上縁部に回動自在に取り付けられる板状部材である。このバックカバー部３３０がカバー本体３１０の背面側の開口を塞ぎ、ボディ１００の本体部１１０の背面部を覆うようになっている。
【００２８】
上段コンタクト群２００ａは、図６に示すように、コンタクト２０１ａ〜２１０ａで構成されている。一方、下段コンタクト群２００ｂは、コンタクト２０１ｂ〜２１０ｂで構成されている。
【００２９】
コンタクト２０１ａは、図６及び図７に示すように、プラグＡがボティ１００の凸部１２０に嵌合された状態で、当該プラグＡのコンタクト（図示せず）に接触可能な板状の接点部２０１１ａと、接点部２０１１ａの後端に連なって設けられる接点部２０１１ａよりも幅広な板状体であり且つボディ１００の端子挿入孔１１１ａに圧入される本体部２０１２ａと、本体部２０１２ａの後端に連なり且つボディ１００の背面に沿うように略直角に曲げて設けられた棒状の導出部２０１３ａと、導出部２０１３ａの後端に連なって略直角に曲げて設けられており且つ前記基板上のパターンに接続される棒状のリード部２０１４ａとを有している。
【００３０】
コンタクト２０２ｂは、プラグＡがボティ１００の凸部１２０に嵌合された状態で、プラグＡのコンタクト（図示せず）に接触可能な板状の接点部２０２１ｂと、接点部２０２１ｂの後端に連なって設けられる接点部２０２１ｂよりも幅広な板状体であり且つボディ１００の端子挿入孔１１１ｂに圧入される本体部２０２２ｂと、本体部２０２２ｂの後端に連なり且つボディ１００の背面に沿うように略直角に曲げて設けられた棒状の導出部２０２３ｂと、導出部２０２３ｂの後端に連なって略直角に曲げて設けられており且つ前記基板上のパターンに接続される棒状のリード部２０２４ｂとを有している。
【００３１】
コンタクト２０１ａとコンタクト２０２ｂとは、図３（ｂ）に示すように、上下の段差の分だけ導出部２０１３ａの長さが導出部２０２３ｂに比べて長い点で異なっている。コンタクト２０２ａ、２０４ａ、２０５ａ、２０８ａ、２０９ａはコンタクト２０１ａと同じものである。コンタクト２０３ａ、２０６ａ、２０７ａ、２１０ａは、接点部２０３１ａ、２０６１ａ、２０７１ａ、２１０１ａの長さ寸法がコンタクト２０１ａの接点部２０１１ａの長さ寸法よりも長い点で異なる以外、当該コンタクト２０１ａと同じものである。
【００３２】
コンタクト２０３ｂ、２０５ｂ、２０６ｂ、２０９ｂはコンタクト２０２ｂと同じものである。コンタクト２０４ｂ、２０７ｂ、２０８ｂ、２１０ｂは、接点部２０４１ｂ、２０７１ｂ、２０８１ｂ、２１０１ｂの長さ寸法がコンタクト２０２ｂの接点部２０２１ｂの長さ寸法よりも長い点で異なる以外、当該コンタクト２０２ｂと同じものである。
【００３３】
コンタクト２０１ｂは、図６（ｂ）に示すように、接点部２０１１ｂの長さ寸法がコンタクト２０２ｂの接点部２０２１ｂの長さ寸法よりも長い点及び本体部２０１２ｂの幅方向の一端部に板状の延長部２０１２ｂ１が設けられている点で異なる以外、当該コンタクト２０２ｂと同じものである。
【００３４】
本実施形態の電気コネクタは、電源ライン又はシングルエンド信号の他、第１〜第５の差動信号を伝送するのに使用されるものである。コンタクト２０７ａ，２１０ａ，２０７ｂ，２０９ｂ，２１０ｂは、前記基板のパターンに接続されることにより、電源ライン又はシングルエンド信号を伝送するためのコンタクトとして機能する。コンタクト２０１ａ，２０２ｂ，２０４ａ，２０５ｂ，２０８ａは、前記基板のパターンに接続されることにより、第１〜第５の差動信号を伝送するためのプラス信号用コンタクト（即ち、一方の第１のコンタクト）、コンタクト２０２ａ，２０３ｂ，２０５ａ，２０６ｂ，２０９ａは第１〜第５の差動信号を伝送するためのマイナス信号用コンタクト（即ち、他方の第１のコンタクト）、コンタクト２０１ｂ，２０３ａ，２０４ｂ，２０６ａ，２０８ｂは第１〜第５の差動信号を伝送するためのコモングランド用コンタクト（即ち、第２のコンタクト）として各々機能する。
【００３５】
特に、上段・下段コンタクト群２００ａ，２００ｂのうち第１〜第５の差動信号を伝送するためのコンタクト（２０１ａ〜２０６ａ，２０８ａ，２０９ａ、２０１ｂ〜２０６ｂ，２０８ｂ）について着目すると、図１に示すように、ボディ１００の断面上において、上記プラス信号用コンタクト及びマイナス信号用コンタクトを底辺側、コモングランド用コンタクトを頂点側として三角形状に配置したものを一組とし、これらの５組が上下位置関係を交互に逆にして幅方向に順次配列されている。
【００３６】
本実施形態の電気コネクタにおいて、信号用コンタクト等の配置関係が上記した通りであることから、隣接コンタクトの差動ペア内及び差動ペア間で専ら低スキュー等にするために、コンタクト２０１ａ〜２１０ａの接点部２０１１ａ〜２１１１ａ及びコンタクト２０１ｂ〜２１０ｂの接点部２０１１ｂ〜２１１１ｂの長さの大小関係が上述及び図６に示す通りになっている。
【００３７】
コンタクト２０１ａ〜２１０ａは、ボディ１００の１０個の端子挿入孔１１１ａに当該ボディ１００の背面部側から各々位置合わせしつつ挿入される。すると、コンタクト２０１ａ〜２１０ａの接点部２０１１ａ〜２１０１ａがボディ１００の１０個の端子ガイド溝１２１ａに各々挿入される。これと共に、コンタクト２０１ａ〜２１０ａの本体部２０１２ａ〜２１０２ａが１０個の端子挿入孔１１１ａに各々圧入され、導出部２０１３ａ〜２１０３ａが残りの１０個の端子挿入溝１１３に各々挿入される。
【００３８】
一方、コンタクト２０１ｂ〜２１０ｂは、ボディ１００の端子挿入孔１１１ｂ’及び９個の端子挿入孔１１１ｂに当該ボディ１００の背面部側から各々位置合わせしつつ挿入される。すると、コンタクト２０１ｂ〜２１０ｂの接点部２０１１ｂ〜２１０１ｂがボディ１００の１０個の端子ガイド溝１２１ｂに各々挿入される。これと共に、コンタクト２０１ｂ〜２１０ｂの本体部２０１２ｂ〜２１０２ｂが端子挿入孔１１１ｂ’及び９個の端子挿入孔１１１ｂに各々圧入され、導出部２０１３ｂ〜２１０３ｂが１０個の端子挿入溝１１３に各々挿入される。
【００３９】
上段コンタクト群２００ａ及び下段コンタクト群２００ｂは、ボディ１００に取り付けられた状態で、図６に示すように、コンタクト２０１ａ〜２１０ａの本体部２０１２ａ〜２１０２ａの幅方向の端部とコンタクト２０１ｂ〜２１０ｂの本体部２０１２ｂ〜２１０２ｂとの幅方向の端部とが位置的に重なるように配置される。
【００４０】
このため、前記コモングランド用コンタクトの本体部の幅方向の両端部が、プラス信号用コンタクト及びマイナス信号用コンタクトの本体部の幅方向の内側の端部に位置的に重なるように配置される。また、プラス信号用コンタクト及びマイナス信号用コンタクトの隣には、別の組のコモングランド用コンタクトが配置される。これにより、差動ペアのコンタクト間で良好なインピーダンス整合が図られている。
【００４１】
また、コンタクト２０１ｂの本体部２０１２ｂの延長部２０１２ｂ１がコンタクト２０１ａの本体部２０１２ａに位置的に重なる幅面積が、他の差動信号伝送用のコンタクトの本体部の端部同士（即ち、外側の端部と内側の端部）が位置的に重なる幅面積の略２倍になっている。このようにしてコンタクト２０１ｂの本体部２０１２ｂの幅面積が、他の信号用コンタクトとコモングランド用コンタクトと間のインピーダンスとの差に応じて調整されている。このため、上段コンタクト群２００ａの最端に位置し、隣り合うコモングランド用コンタクトがないことを要因とするコンタクト２０１ａとコンタクト２０１ｂとの間の静電容量の低下を防止することができる。これにより、コンタクト群の最端に位置する差動ペア内のインピーダンスのバラツキが抑制され、インピーダンス整合が図られる。
【００４２】
このような電気コネクタによる場合、前述の通り、ダミーのグランド用コンタクトを追加したりシールドカバー３００の形状を変えたりすることなく、コンタクト群の最端に位置する差動ペア内のインピーダンス整合を図ることができ、その結果、差動ペア間のインピーダンス整合も図ることができる。よって、コスト高となることなく、電気コネクタの伝送特定を向上させることができる。
【００４３】
なお、上記電気コネクタは、絶縁性を有するボディと、ボディ内にその幅方向に間隔を空けて少なくとも２列で配設されるコンタクト群とを備えており、コンタクト群は、複数の第１のコンタクトと、この第１のコンタクトと別の列に位置しており且つ当該第１のコンタクトと隣り合う複数の第２のコンタクトとを有し、インピーダンス調整の対象となる第１、第２のコンタクトの一方の幅面積が、他の第１、第２のコンタクト間のインピーダンスとの差に応じて調整されている限り任意に設計変更することが可能である。
【００４４】
上記実施例では、コンタクト群の最端に位置するコモングランド用コンタクトの幅面積が調整されているとして説明したが、これに限定されるものではない。例えば、信号用コンタクトであるコンタクト２０１ａの本体部２０１２ａの幅面積を他の信号用コンタクトの幅面積に比べて小さくし、コンタクト２０１ａとコンタクト２０１ｂとの間の静電容量の低下を防止して、インピーダンス整合を図ることも可能である。
【００４５】
また、上記実施例では、インピーダンス調整の対象となるコンタクトは、コンタクト群の最端に位置する差動ペア及びそのコモングランド用コンタクト２０１ａ、２０２ａ、２０１ｂであるとしたが、これに限定されるものではない。即ち、コンタクトの配列に応じて、インピーダンス調整の対象となるコンタクトを適宜選択することが可能である。
【００４６】
本電気コネクタは、不平衡（シングルエンド）型の伝送方式用の電気コネクタとしても適応可能である。即ち、インピーダンス整合の対象となるシングルエンド用の信号コンタクトとそのグランド用コンタクトとの一方の幅面積を、他のシングルエンド用の信号コンタクトとグランド用コンタクトと間のインピーダンスとの差に応じて調整するようにすれば良い。
【００４７】
上記コンタクトの形状については、上記実施例に限定されるものではなく、任意に設計変更可能である。
【００４８】
また、コンタクトの配列についても、ボディ内にその幅方向に間隔を空けて少なくとも２列で配設される限り任意に設計変更することが可能である。本電気コネクタが差動信号伝送型の電気コネクタである場合、上記プラス信号用コンタクト、マイナス信号用コンタクト及びコモングランド用コンタクトを三角形状に配置したものを一組とし、この組が幅方向に順次配列されていることが好ましいが、これに限定されるものではない。上記実施例以外の例としては、第１列に複数のプラス信号用コンタクト及びマイナス信号用コンタクトが並べられ、第２列に複数のコモングランド用コンタクトが並べられた構成となっているものがある。なお、前記コンタクトは、その幅方向の端部同士が位置的に重ならないように配置することもできる。
【００４９】
なお、上記電気コネクタは、レセプタクルであるとして説明したが、コンタクトにケーブルが接続されるプラグとすることが可能である。
【図面の簡単な説明】
【００５０】
【図１】本発明の実施の形態に係る電気コネクタの概略的正面図である。
【図２】同電気コネクタの概略的平面図である。
【図３】同電気コネクタの概略的背面図であって、（ａ）がシールドカバー部の閉塞状態を示す図、（ｂ）がシールドカバー部の開放状態を示す図である。
【図４】同電気コネクタのコンタクト群が取り付けられたボディの概略的平面図である。
【図５】同電気コネクタのコンタクト群が取り付けられたボディの概略的断面図である。
【図６】同電気コネクタのコンタクトの配置を示す図であって、（ａ）概略的平面図、（ｂ）が概略的底面図である。
【図７】（ａ）が同電気コネクタの第１、第２のコンタクトの概略的斜視図、（ｂ）が同電気コネクタの最端に位置する第２のコンタクトの概略的斜視図である。
【符号の説明】
【００５１】
１００    ボディ
２００ａ  上段コンタクト群
２０１ａ  コンタクト（一方の第１のコンタクト）
２０１１ａ  接点部
２０１２ａ  本体部
２０１３ａ  導出部
２０１４ａ  リード部
２０２ａ  コンタクト（他方の第１のコンタクト）
２０２１ａ  接点部
２０２２ａ  本体部
２０２３ａ  導出部
２０２４ａ  リード部
２００ｂ  下段コンタクト群
２０２ｂ  コンタクト（第２の）
２０１１ｂ  接点部
２０１２ｂ  本体部
２０１２ｂ１  延長部
２０１３ｂ  導出部
２０１４ｂ  リード部
【図１】
0004932626.tif 000002
【図２】
0004932626.tif 000003
【図３】
0004932626.tif 000004
【図４】
0004932626.tif 000005
【図５】
0004932626.tif 000006
【図６】
0004932626.tif 000007
【図７】
0004932626.tif 000008